(57)【要約】【課題】従来のマジック数字カードでは相手が考えるカード内の数字しか当てる事が出来なかったが、数字のみならず氏名や物の名前、血液型なども当てる事の出来るマジックカードを提供する。【解決手段】６枚の数字カード（ａ〜ｆ）と、かな文字と数字を組み合わせた１枚の文字カードから構成した相手が考えた事柄を当てるマジックカードであり、そして前記数字カード（ａ〜ｆ）は、「１〜６３」までの数字を縦・横に各６個選択的に記載したものであり、文字カードは、「あいうえお」の仮名文字順に「１〜５０」の数字を順に付け、さらに前記仮名文字順の内「３７、３９、４７、４９」の数字に相当する個所に血液型の「Ａ、Ｂ、Ｏ、ＡＢ」を順に付けたものである。また数字カード（ａ〜ｆ）の左上隅の数字Ｎが、Ｎを含み、それ以降に連続する自然数の個数になっている。【選択図】図１
0003113535.tif 000002
【実用新案登録請求の範囲】
【請求項１】
６枚の数字カード（ａ〜ｆ）と、かな文字と数字を組み合わせた１枚の文字カードから構成した相手が考えた事柄を当てるマジックカード。
【請求項２】
前記数字カード（ａ〜ｆ）は、「１〜６３」までの数字を縦・横に各６個選択的に記載したものであり、文字カードは、「あいうえお」の仮名文字順に「１〜５０」の数字を順に付け、さらに前記仮名文字順の内「３７、３９、４７、４９」の数字に相当する個所に血液型の「Ａ、Ｂ、Ｏ、ＡＢ」を順に付けたものである請求項１記載のマジックカード。
【請求項３】
数字カード（ａ〜ｆ）の左上隅の数字Ｎが、Ｎを含み、それ以降に連続する自然数の個数になっている請求項１及び請求項２記載のマジックカード。
【請求項４】
「数字カードａ」は、ｎが「０」から始まり「３１」で終える（２ｎ＋１）の順に配列され、また「数字カードｂ〜ｆ」は、左上隅の数字Ｎから始まる自然数をＮの個数ほど連続させ、次の自然数は、前の自然数に「Ｎの２乗」の数をそれぞれ加算した自然数となるように設定されている請求項１〜請求項３記載のマジックカード。
【考案の詳細な説明】
【技術分野】
【０００１】
本考案は、相手が考えた数字、生年月日等の数字の他に名前、血液型など文字も当てる事の出来るマジックカードに関する。
【背景技術】
【０００２】
１〜６０までの数字をランダムに各３０個記載した数字カードを相手に示し、相手が考えた数字を当てるマジック数字カードは特許文献１に開示されており、また合計数を当てるものとして特許文献２、特許文献３のようなものがあるが、かかる数字マジックカードにかな文字カードを追加して相手が考えた名前や生年月日、血液型を当てるものはなかった。
【特許文献１】特開２００５−７１１０号
【特許文献２】特開平６―１３４１４８号
【特許文献３】特開平１１―７６６３７号
【考案の開示】
【考案が解決しようとする課題】
【０００３】
本考案は、従来のマジック数字カードでは相手が考えるカード内の数字しか当てる事が出来なかったが数字のみならず氏名や物の名前、血液型なども当てる事の出来るマジックカードを提供することを目的とする。
【課題を解決するための手段】
【０００４】
本考案は、請求項１記載のように、６枚の数字カード（ａ〜ｆ）と、かな文字と数字を組み合わせた１枚の文字カードから構成した相手が考えた事柄を当てるマジックカードであり、そして請求項２記載のように、前記数字カード（ａ〜ｆ）は、「１〜６３」までの数字を縦・横に各６個選択的に記載したものであり、文字カードは、「あいうえお」の仮名文字順に「１〜５０」の数字を順に付け、さらに前記仮名文字順の内「３７、３９、４７、４９」の数字に相当する個所に血液型の「Ａ、Ｂ、Ｏ、ＡＢ」を順に付けたものである。
【０００５】
また請求項３記載のように、数字カード（ａ〜ｆ）は、この左上隅の数字Ｎが、Ｎを含み、それ以降に連続する自然数の個数になっており、また請求項４記載のように、「カードａ」は、ｎが「０」から始まり「３１」で終える（２ｎ＋１）の順に配列され、また「数字カードｂ〜ｆ」は、左上隅の数字Ｎから始まる自然数をＮの個数ほど連続させ、次の自然数は、前の自然数に「Ｎの２乗」の数をそれぞれ加算した自然数となるように設定されている。
【考案の効果】
【０００６】
従来のマジック数字カードにかな文字カードを加えたことにより相手の思った姓名、ペットや草花の名前、生年月日、血液型や行動、感情など色々なものを当てることが出来る。また本カードを名刺サイズのもので作れば営業員などが接客の場で場を和ますために用いたり、家庭でも身近に子供から大人まで幅広い年齢層で楽しむことが出来る。
【考案を実施するための最良の形態】
【０００７】
本考案のマジックカードは、「１〜６３」までの数字を縦・横に各６個選択的に記載した６枚の数字カード（ａ〜ｆ）と、「あいうえお」の仮名文字順に「１〜５０」の数字を順に付け、さらに前記仮名文字順の内「３７、３９、４７、４９」の数字に相当する個所に血液型の「Ａ、Ｂ、Ｏ、ＡＢ」を順に付けた１枚の文字カードを用いて相手の考えた事柄を当てることが出来るカードゲームであり、子供から大人まで幅広い年齢層で楽しむことが出来る。
【実施例１】
【０００８】
本考案の好適なひとつの実施例を以下図面に基づき説明する。本考案のマジックカードは、図１に示す各カードの右下隅にａ〜ｆと記載した６枚の数字カード（ａ〜ｆ）と、図２に示す１枚の文字カードからなる。そして６枚の数字カード（ａ〜ｆ）は、「１〜６３」までの数字を縦・横に各６個選択的に記載したものであり、文字カードは、「あいうえお」の仮名文字順に「１〜５０」の数字を順に付け、さらに前記仮名文字順の内「３７、３９、４７、４９」の数字に相当する個所に血液型の「Ａ、Ｂ、Ｏ、ＡＢ」を順に付けてある。
【０００９】
また前記数字カード（ａ〜ｆ）の左上隅の数字Ｎは、順にｎが「０」から始まり「５」で終わる「２のｎ乗」に設定されている。別言すれば、ｎが１から始まり公比２とする等比数列(１、２、４、８、１６、３２)となっている。
【００１０】
また数字カード（ａ〜ｆ）は、この左上隅の数字Ｎが、Ｎを含み、それ以降に連続する自然数の個数になっている。そして「数字カードａ」は、ｎが「０」から始まり「３１」で終える（２ｎ+1）の順に配列されており、また「数字カードｂ〜ｆ」は、左上隅の数字Ｎから始まる自然数をＮの個数ほど連続させ、次の自然数は、前の自然数に「Ｎの２乗」の数をそれぞれ加算した自然数となるように設定されている。
【００１１】
従って「カードａ」は、左上隅の数Ｎが「１」なので、それ以降に連続する自然数の個数は１個づつであり、またｎが「０」から始まり「３１」で終える（２ｎ+1）の順に配列されているので「１、３、５、７------６３」の奇数の数列となる。
【００１２】
また「カードｂ」は、左上隅の数字Ｎが「２」なので「２、３」と自然数を２個連続させ、次の２個連続する自然数は、前の自然数の「２、３」に「２の２乗＝４」をそれぞれ加算した自然数「６、７」となる。以下同様に「４」をそれぞれ前の自然数に加えた「１０、１１」、「１４、１５」と「６３」になるまで順に繰り返す。
【００１３】
「カードｃ」は、左上隅の数字Ｎが「４」なので、自然数を「４、５，６、７」と４個連続させる。そして次の４個連続する自然数は前の自然数に「２の４乗」である「８」をそれぞれ加算した自然数「１２、１３、１４、１５」となる。以降も同様に「８」をそれぞれ前の自然数に加えた「２０、２１、２２、２３」、「２８、２９、３０、３１」と「６３」になるまで順に繰り返す。
【００１４】
「カードｄ」は、左上隅の最初の数字Ｎが「８」なので、自然数を「８、９、１０、１１、１２、１３、１４、１５」と８個連続させる。そして次の８個連続する自然数は、前の自然数に「２の４乗」である「１６」をそれぞれ加算した自然数「２４、２５、２６、２７、２８，２９、３０、３１」となる。以降も同様に「１６」をそれぞれ前の自然数に加えた「４０、４１、４２、４３、４４、４５、４６、４７」と順に「６３」になるまで繰り返す。同様に「カードｅ〜ｆ」も作成されており、そして各カードの最終の数が「６３」になっている。
【００１５】
また別の見方で前記カード（ａ〜ｆ）を見ると左上隅の数字Ｎが、それ以降に続く自然数群の各個数を定め、さらにこの数字Ｎに「＋１」加算した数を前の自然数の最後の数に加算して後の数列の最初の数字とするように設定してある。
【００１６】
従って「カードａ」は、左上隅の最初の数字Ｎが「１」なので、その後に連続する自然数の個数は１個づつとなる。前の自然数、すなわち初めの数は「1」なので、この「１」と左上隅の数「１」に「＋１」を加えた数「２」を足した「１＋２＝３」が次の数となる。そして次の数字は、前の数字「３」に「２」を足した「３＋２＝５」が次の数となる。すなわち「カードａ」は「１、３、５、７-----」の数列となる。
【００１７】
「カードｂ」は、左上隅の最初の数字Ｎが「２」なので、２個の自然数「２、３」と連続させ、次の２個の自然数は、前の自然数の最後の数が「３」なので、この「３」と左上隅の数「２」に「＋１」を加えた数「３」を足した「３＋３＝６」が次の自然数の最初の数となる。そして「６、７」と２個連続させる。そして次の２個の自然数は、前の自然数の最後の数が「７」なので、この「７」と左上隅の数「２」に「＋１」を加えた数「３」を足した「７＋３＝１０」が次の自然数の最初の数となる。そして「１０、１１」と２個連続させる。以下同様に「６３」と成るまで繰り返す。「カードｅ〜ｆ」も同様の法則で作成されている。
【００１８】
本考案のカードを用いて物当てゲームをする場合は、先ず図２のかな文字カードを相手に示し、例えば「さとう」の場合は、先ず「さ１１」を頭に思い、次に６枚の数字カード１の中から「１１」のあるカード「ａ、ｂ、ｄ」の３枚を示してもらう。そして示してもらった３枚のカード「ａ、ｂ、ｄ」のそれぞれの左上隅の数字Ｎ「１、２、８」を足し算すると「１１さ」となる。
【００１９】
次に「と２０」を頭に思い、６枚の数字カード１の中から「２０」のあるカード「ｃ、ｅ」の２枚を示してもらう。そして示してもらった２枚のカード「ｃ、ｅ」のそれぞれの左上隅の数字Ｎ「４、１６」を足し算すると「２０と」となる。同じ要領で「う３」を繰り返し、選択した数字カードを（ａ〜ｆ）の組合せから相手の思った名前、物などを当てることが出来る。
【００２０】
また血液型Ａの場合は、同様に「Ａ３７」に対応する「３７」のある数字カード「ａ、ｃ、ｆ」を指し示すので左上隅の数字Ｎ「１、４、３２」を足し算すると「３７」となるので「Ａ３７」のＡ型と分かる。
【図面の簡単な説明】
【００２１】
【図１】６枚１組の数字カードである。
【図２】１枚のかな文字カードである。
【符号の説明】
【００２２】
Ｎ  左上隅の数字
【図１】
0003113535.tif 000003
【図２】
0003113535.tif 000004